(57)【要約】【課題】簡単にしかも強く立設することのできる避難装置を提供すること。【解決手段】津波や洪水などの災害発生時に高所の避難ステージに避難可能な避難装置であって、設置地盤に埋設固定される基礎コンクリートと、鉄鋼製の１本のパイプでなるとともに下端に備えた基板が前記基礎コンクリートに連結されるようにして前記基礎コンクリートから垂直に立設された支柱と、同支柱の上部に設けられた避難ステージと、設置地盤と前記避難ステージとの間をつなぐラセン階段やスロープなどの登降手段とを有する。【選択図】図２
2007239452.tif 000002
【特許請求の範囲】
【請求項１】
津波や洪水などの災害発生時に高所の避難ステージに避難可能な避難装置であって、設置地盤に埋設固定される基礎コンクリートと、鉄鋼製の１本のパイプでなるとともに下端に備えた基板が前記基礎コンクリートに連結されるようにして前記基礎コンクリートから垂直に立設された支柱と、同支柱の上部に設けられた避難ステージと、設置地盤と前記避難ステージとの間をつなぐラセン階段やスロープなどの登降手段とを有する避難装置。
【請求項２】
請求項１に記載した避難装置において、支柱の外周には、基板と支柱間をつなぐ下部補強板が複数配備され、そのうちの１枚は、津波の襲来が想定される側に向けて対応して位置している避難装置。
【請求項３】
請求項１または２に記載した避難装置において、避難ステージは、支柱まわりに水平張り出し状に設けられ、同避難ステージの外周と基板の外周との間は、複数本の外防護パイプで連結され、そのうちの１本が津波の襲来が想定される側に対応して位置している避難装置。
【請求項４】
請求項１から３までのいずれかに記載した避難装置において、支柱には、水タンクが備え付けられている避難装置。
【発明の詳細な説明】
【技術分野】
【０００１】  本発明は、避難装置に関する。
【背景技術】
【０００２】  旧来から地震に伴い津波により多大な災害が発生している。
【発明の開示】
【発明が解決しようとする課題】
【０００３】  ところで、こうした津波発生時には、高所に登るように教えられているもののその高所のないところが多く、また、近場で登れる施設も少ないのが現状で、それが災害を繰り返す原因になっている。
上記に鑑み、本発明は、簡単にしかも強く立設することのできる避難装置を提供することを目的とする。
【課題を解決するための手段】
【０００４】  上記課題を解決するため、請求項１記載の発明は、津波や洪水などの災害発生時に高所の避難ステージに避難可能な避難装置であって、設置地盤に埋設固定される基礎コンクリートと、鉄鋼製の１本のパイプでなるとともに下端に備えた基板が前記基礎コンクリートに連結されるようにして前記基礎コンクリートから垂直に立設された支柱と、同支柱の上部に設けられた避難ステージと、設置地盤と前記避難ステージとの間をつなぐラセン階段やスロープなどの登降手段とを有する避難装置。
請求項２に記載の発明は、請求項１に記載した避難装置において、支柱の外周には、基板と支柱間をつなぐ下部補強板が複数配備され、そのうちの１枚は、津波の襲来が想定される側に向けて対応して位置している避難装置。
請求項３に記載の発明は、請求項１または２に記載した避難装置において、避難ステージは、支柱まわりに水平張り出し状に設けられ、同避難ステージの外周と基板の外周との間は、複数本の外防護パイプで連結され、そのうちの１本が津波の襲来が想定される側に対応して位置している避難装置。
請求項４に記載の発明は、請求項１から３までのいずれかに記載した避難装置において、支柱には、水タンクが備え付けられている避難装置。
【発明の効果】
【０００５】  本発明によれば、簡単にしかも強く立設することができ災害を大幅に減らすことのできる避難装置を提供することができる。
【発明を実施するための最良の形態・実施例】
【０００６】  以下の各実施形態で説明する諸内容は、他の実施形態にも適用がある。
図１（平面図）および図２（津波が襲来してくる側を正面とした場合に左側面図）は、一実施形態を示し、本来の津波発生時の避難機能に他の機能を持たせたものである。２００は設置地盤、Ｘは津波が襲来してくる（想定）方向をそれぞれ示す。
【０００７】  ２０１は基礎コンクリートで、同コンクリート２０１は、円柱状で地盤２００内に完全に埋め込まれた形になっているがその上面が地盤２００まで露出するようにすることがある。また、同コンクリート２０１は、四角などの角柱状にすることもできるし、図２３に示すように突出材を追加して安定化を図ることもできる。
【０００８】  ２０３は支柱で、鉄鋼製の丸パイプでなり、その直径は、５〜１０ｍ前後の大き目で、高さは１５〜２０ｍ程度のものとされている。ここでは、直径５ｍで高さが１５ｍのものが示されている。同支柱２０３の基部は、基礎コンクリート２０１上に載置されてコンクリートからの多数本のアンカー２０４…により連結固定される円板型の基板２０５の中央に溶接固定されている。
【０００９】  支柱２０３の基部外周には、基板２０５にも溶接された下部補強板２０６…が周方向複数枚設けられており、これら下部補強板２０６…は、この実施形態では、３枚で互いのなす角を１２０°とし、その１枚は津波が襲来してくる側に直面するように配置され、他の２枚はＸ流を直交して受けないようにやや斜め向きでＸ流を左右に流出するような方向性に設定してある。
【００１０】  こうすることで、本来の支柱補強機能の他に、例えば、Ｘ流に追従して船や他の漂流物が支柱２０３にダイレクトに衝当せずにここでまず受け止めてそれを破砕して小片化したり、さらにはＸ流を左右に分岐させる役目をする。この前の下部補強板２０６の斜め先端稜に沿って丸パイプやゴムなどの緩衝材を付しておけば津波Ｘからの避難装置を防護することができる。
【００１１】  支柱２０３の下部には、Ｘ流からみて後背側となる周位を介して出入り口２０８が設けられている。この出入り口２０８は、支柱２０３の後面に１個開設してもよいし、図示のように左右一対開設してもよい。尚、この出入り口２０８から登降する避難者は図２に示すように下部補強板２０６によりＸ流から前方を護られた形になる。また、下部補強板２０６は、前側に相対する後側にも配してもよい。
【００１２】  ２１０は避難ステージで、地盤２００から略１０ｍの高さに手摺２１１付きの円台として支柱２０３まわりに水平に張り出し固定されている。同避難ステージ２１０は、５０人から１００人を避難させ得る広いスペースをもっており、出入り口２０８からの避難者は、支柱２０３の内周に沿って設けたラセン階段である登降手段２１２を通じて登りステージ口２１３から避難ステージ２１０上に避難することができるようになっている。避難ステージ２１０はその底面と支柱２０３との間に設けたステージ補強板２１４…により受担されている。
【００１３】  尚、登降手段２１２は図２の仮想線のように外回りに配してもよく、内外共に配してもよい。また、登降手段２１２はスロープにしたり簡易エレベータ方式にすることもある。
さらに、図２に示すように、手摺２１１の前面部にはより細かいメッシュの網状部材２１６や完全閉止膜材などを配して津波が上方を襲った際の安全性を向上させるようにしてもよい。
また、図２の仮想線のように収納庫２１７を固定設置して津波流から防護するようにしてもよい。
【００１４】  ２１９は水タンク（あるいは油タンク）で、同水タンク２１９は、上下閉止型をした円筒状（あるいは角筒）のもので、補水管２２０および配水管２２１を備えて地上からの水の補充や配水利用を可能にしてあり、同タンク２１９内の水は、津波発生後は勿論、渇水時や消火用などに利用することができる。
【００１５】  この水タンク２１９内の水は浄化手段で常時浄化可能とするが、定期的な洗浄を考慮して、支柱２０３周面に沿って立ち上がり水タンク２１９に開けた通孔を通じて導かれた梯子（図示省略）によって同タンク２１９上に上がることができるようにし、タンク２１９に備えた開閉蓋を開けることでタンク内に入ることができるようにしてもよい。同水タンク２１９内には浄水材を投入可能にしてもよい。尚、水タンク２１９は、内水を蓄えておく場合地震や津波が襲った際にその衝撃を緩和するように作用する。
【００１６】  尚、水タンク２１９内には、図１に示すように、仕切壁２２２…を入れてタンク補強をしてもよい。
また、前記支柱２０３は鉄鋼製であったがコンクリート製にしてもよい。
さらに、図１に破線で示し図２に仮想線で示すように、避難ステージ２１０の外周と基板２０５の外周との間に配備した複数本の外防護パイプ２２４…で避難装置を津波から護るようにしてもよく、このパイプ２２４でさらに水タンク２１９を保持するようにしてもよい。
【００１７】  また、避難装置の外周囲には、牽きワイヤ２２５…を配備して避難装置の転倒を防止するようにしてもよい。同ワイヤ２２５はメッシュワイヤに代えて構成することもできる。
さらに、支柱２０３は、前後に２本のパイプで構成したり３本寄せ合わせのものにしてもよい。こうした支柱２０３は、丸パイプに限定されず四角パイプ以上の多角形パイプにしてもよい。
【００１８】  図３は他の実施形態を示す。同実施形態の避難装置は、水タンク２１９の上にさらに天蓋２２８付き上避難ステージ２２９を配備したもので、この避難ステージ２２９に登る手段として、水タンク２１９に縦方向の通孔２３０を開けておき、避難ステージ２１０から上避難ステージ２２９へと通じる梯子２３１を設けてもよい。この梯子２３１は、下部をラセン階段とし上部のみを梯子として構成することもできる。同避難装置は、登降手段として内ラセン式の登降手段２１２を配備したが外ラセン階段を付してもよい。内あるいは外部のエレベータにしてもよい。ラセン階段とエレベータとを併設することもある。
【００１９】  尚、図１、図２および図３の実施形態、ならびに以下の実施形態でも同様であるが、水タンクは、支柱内のラセン階段中央空間に縦筒状に設けてもよい。また、前記上位の水タンクとこの縦筒状水タンクとを併設することもできる。
また、同様に他の実施形態でもいえることであるが、地盤上にあるようにして水タンクを設置して地震や津波発生時のウエイトとしてまた緩衝材として作用するようにしてもよい。この場合の水タンクは、支柱の回りにドーナツ状に形成する場合（図３のａ）と、支柱そのものの下部として構成する場合とがある。水タンクの上面をそのまま避難ステージにすることも可能である。こうした場合、上部の水タンクは省略したり併設したりする。登降手段は水タンクの外周にラセン階段を付したり水タンクの周部一部を切り欠いてその空間内に直線傾斜階段を設けたりその切り欠きを出入り口として進入して支柱内のラセン階段で登降自在にするなどする。
図３の右欄に示すように、ラセン階段を内部に構成したパイプ式支柱２０３の上部に水タンク２１９を構成し、その上に避難ステージＳを設けてもよい。この場合、水タンク２１９の中央に形成した通穴Ｐの中にラセンや直線階段等の登降手段を設け前記支柱２０３内のラセン階段と連絡して避難ステージＳに登降可能にしてもよい。Ｓ１はその出口である。この避難ステージＳには、山やビルなどとの連絡橋２３２を装架して同ステージＳからさらに避難できるようにしたり逆にステージＳ方向へ避難できるようにしてもよい。
また、前記水タンク２１９は、その一部あるいは全体を避難部屋にしたり、資料部屋にしたり、あるいは指令塔にしたり、多目的に活用できるものである。支柱２０３などにはエレベータを装備することもできる。２５９は避雷針、２６０はアンテナ、２６１は監視カメラ、２６２は津波来襲測定・警報装置である。
【００２０】  図４は他の実施形態を示す。同実施形態は、海底２３４上に水面２３５がある沿岸や河川内を対象にしたもので、２３６は基礎コンクリートで、海底２３４内に埋設されており、この実施形態の場合には、突出材２３７…を同時埋設してその安定性の向上をはかってある。
【００２１】  ２３８は支柱で、鉄鋼製あるいはコンクリート製で、支柱２３８は、基礎コンクリート２３６から水面２３５上に垂直に高く立ち上がっており、同支柱２３８の水面２３５より上側の周面には、船舶２３９を緊急係留することのできるワンタッチ係脱式の係留金具２４０…が複数突設されるとともに、その船舶２３９から上の避難ステージ２４１上に登ることのできる登降手段２４２が直線階段として設けられている。ラセン階段でもよい。
【００２２】  支柱２３８の上端には水タンク２４３が設けられ、その上を利用して上避難ステージ２４４が設けられている。そして、水タンク２４３内を通る梯子２４５により同上避難ステージ２４４に登降可能とされている。２４６は避雷針、２４７はアンテナである。津波Ｘが襲来した際は、近くの船舶２３９…はこの避難装置に係留して避難ステージ２４１や上避難ステージ２４４に避難することができる。
【００２３】  尚、同図に示すように、上部の水タンク２４３は、本来の水タンク部２４８の他に仕切壁２４９を介して別室である保管庫２５０を併設してもよい。同保管庫２５０は上避難ステージ２４４の床面を構成する蓋２５１…を開けて非常用具や用品類など様々なものを収納しておくことができる。この構成は、他の実施形態にも同様に適用できる。
また、図４に仮想線で示すように、上避難ステージ２４４からは連絡橋２５２を追加してさらに避難可能にしてもよい。
【００２４】  図５の実施形態は、鋼鉄製あるいはコンクリート（ＲＣ構造）製で本体分が上向きに細いテーパー形でそお上部が絞られて上端が上向きに大きく拡がった形の中空状の支柱２５５として基礎コンクリート２５６上に固定設置するとともに、同支柱２５５の内部に水タンク（あるいは油タンク）２５７を略同様の形態で構成する一方、支柱２５５の上部に避難ステージ２５８を構成したものである。２５９は避雷針、２６０はアンテナ、２６１は監視カメラ、２６２は津波来襲測定・警報装置である。
尚、２６３はエレベータで、支柱２５５および水タンク２５７の中央を貫通して設けられて、底部を貫通する出入り通路２６４から入って登降することができる。
また、このエレベータ２６３に代えて、内ラセン階段（あるいはスロープまたは階段とスロープ併設型）２６５を設けることができる。この場合、老人などのため、エレベータ２６３を併設することもある。
さらに、支柱２５５の外周あるいは内周には、平常時に使用される滑り台を備えてもよい。
前記支柱２５５は、丸筒状であったが、三角形や他の多角形状にしてもよい。
この支柱２５５の外周には、仮想線で示すように、下方からの津波のせり上がりを食い止め後方へうまく流すようにする防護板２６６を設けることができる。この場合、同防護板２６６を図示よりもやや高くしてそこに中途避難ステージを構成することもある。この防護板２６６の底面はせりあがる津波をＵターンさせるＲ部分を付加することができる。
さらに、基礎コンクリート２５６の上部は地盤面より一定寸法分突き上がるようにしてそこで津波流Ｘを受けて回りに流すようにすることもできる。この基礎コンクリート２５６の前方（Ｘ側）には、他の防護手段、例えば、１本あるいは複数本の主柱や平面円弧状をなす防護堤防などを設けて第１段として津波流Ｘに対抗するようにしてもよい。
また、避難ステージ２５８の手すりはコンクリート一体型にしたり筒鋼板製にしてもよい。
さらに、右欄図のように、水タンクのない避難用施設物として、支柱２５５′のように内部中空状をしたけん玉に似た形状にしてもよい。支柱２５５Ａのように鼓形にしてもよい。この場合も横断面は円筒状であるが三角や四角などの多角形にしてもよい。内部はラセン階段やラセンとエレベータ併設型にしてもよい。外周にすべり台を設けることもある。
【００２５】  図６の実施形態は、複数本の支柱（パイプ製）２６７…の上部に避難ステージ２６８を設置するとともに、同避難ステージ２６８の底部に下向き凸状の水タンク２６９を装備したもので、同水タンク２６９は支柱２６７に支持された受担機構２７０により確実に支えられている。
【００２６】  尚、２７１は多目的建造物で、支柱２６７…の内部スペースで水タンク２６９の下部空間を利用して数階建てに形成されているもので、同建造物２７１は、例えば、博物館、水族館、公民館、役所などとして利用することができる。２７２はエレベータで、支柱２６７のパイプ内空間をそのまま利用して構成してある。
尚、同図右上欄に示すように、水タンク２６９は球体であったり、右下欄に示すように、立方体でもよい。
【００２７】  図７は、沿岸に構成されるもので、多目的な構造物とした例である。２７５は支柱で、複数本からなり、沿岸から海中へと向けて直列に立設配備されている。各支柱２７５には、保管庫の機能を備えた水タンク２７６が設けられるとともに、同水タンク２７６上が上避難ステージ２７７とされ、これら上避難ステージ２７７相互間を避難ステージを兼ねる連絡橋２７８としてある。そして、上避難ステージ２７７や連絡橋２７８などを上から覆うものとして連続状の雨よけ屋根２７９を設けてある。尚、２８０は釣り場を兼ねる下避難ステージである。下避難ステージ２８０からの避難者は、出入り口２８１を通じて登降手段で上避難ステージ２７７に避難することができ、上避難ステージ２７７では、図の右の方から避難してくる者などをまとめて避難することができ、連絡橋２７８上も併せて多くの人が避難できる。尚、図１〜７におけるＭは航行安全標識灯である。
【００２８】  図８の実施形態は、普段は釣り場や駐車場・朝市広場などとして利用価値がある一方において、津波など非常時には避難ステージ２８４となるものである。すなわち、船舶も係留可能な脚支柱２８５…などの底部構造体の上に前記避難ステージ２８４を構築してなるものである。
【００２９】  図９の実施形態は、山裾などに掘削穴２８８を明けてその開口に開閉扉２８９を密閉可能に装備して避難可能にしたものである。２９０はエアーパイプ、２９１は水抜き装置、２９２は電気機器でソーラー２９３で駆動可能にしてある。
【００３０】  図１０の実施形態は、沿岸に沿って避雷針２９６の複数本を被覆２９７付きのもんとして間隔をおいて立設するとともにそれら避雷針２９６…を通電ワイヤ２９８で繋いで設置可能にしたものである。
図１１に示すように、山の頂近くなどに同様の構成のものを設置して落雷をここで集中的に処理するようにしてもよい。
【００３１】  図１２および図１３はＲＣ構造型津波・洪水等の避難用施設物としての他の実施形態を示す。
この実施形態において６００はＲＣ製コンクリート基礎で、同基礎６００は地盤（土質や岩盤）６０１内に埋め込み固着されている。この基礎６００は、図１２のＨのようにその上部一定寸法分を地盤６０１より突き出すことがあり、この場合、津波流Ｘなどをその前部で防護する。また、同基礎６００は、図１２に示すように、平面が正方形であるが、仮想線のように丸形であったり他の多角形であったりする。丸形にしたり四角形などの多角形でその角部を津波流Ｘの側へ先行させるようにすれば津波流Ｘを押し分けて脇方へうまく流すことができる。同基礎６００は図１３に仮想線で示すように複数本の基礎杭６０３…でより完全固定することもある。
【００３２】  基礎６００上には、基礎６００と一体（同時築造）あるいは別体固定式の架台６０４が設けられている。同架台６０４は基礎６００に総括して省略することもある。同架台６０４は、平面丸形でその上を介して直円筒形をなすＲＣ構造の主塔６０５が築造されている。同主塔６０５は、津波流Ｘの流れを基準として背方となる後部に入り口階段６０６を設け、同階段６０６も架台６０４や主塔６０５と同時築造するようにしたりあるいは別体設置方式とする。同階段６０６はスロープでもよく、また、スロープ併設型にしてもよい。同階段６０６は全周が階段状をなす周階段方式にしてもよい。６０７は入り口扉である。
【００３３】  ６１０はラセン階段（登降手段）で、図１３の右上欄に示すように、主塔６０５の内周に添って手すりとともに一体的に設けられている。この階段６１０の手すりに相当する部分が一般灯台でみられるように直円筒状になった芯筒として上下に長く延びるものにしてもよい。６１１は避難ステージで、主塔６０５の上端に水平円形盤として一体形成されており、同避難ステージ６１１上の外周部分には避難手すり６１２が格子鉄柵状などとして安全のために設けられている。
【００３４】  ６１３は登り口で、ラセン階段６１０の避難ステージ６１１への出口であり、その周囲には安全柵６１４が設けられている。６１５は収納庫で、この収納庫６１５は扉付きの一体小屋になっているが別体設置型にしてもよい。また、同収納庫６１５は避難ステージ６１１の中央に配置されているが、外周側など位置は限定されずまた個数も限定されない。
【００３５】  なお、主塔６０５は、丸筒状であったが、図１２の右上欄に示すように、楕円（あるいは長円）横断面形状にしてもよい。この場合、長径方向を津波流Ｘの想定方向に対応させると強く抵抗し流れを円滑に分けて流すとともに前後に安定でもある。
また、図１２の左上欄に示すように、主塔６０５の外周に、四方に膨隆状の突出部６１６を配備したものにして増強を図ってもよい。
さらに、図１２および図１３に仮想線で示すように、ＲＣ構造で平面円弧状をなす前後一対の防護堤防６１７，６１７を津波流Ｘおよび戻り流に対抗すべく固定設置してもよい。この円弧の向きは図示とは逆向きであってもよい。
また、図１３に仮想線で示すように、防護杭６１８を施設物の前方に１本あるいは複数本配備して津波流Ｘに対抗するようにしてもよく、この場合、基礎６００に基部を埋め込んでより強固に固定を図ってもよい。また、この防護杭６１８は前記基礎杭６０３に一体物にしてもよい。
さらに、施設物の前方には、図１３に仮想線で示すように、凹み状をなす堀６１９を設けて流れが減衰されるとともに脇方向に流すようにしてもよい。この場合、堀６１９は図１２の防護堤防６１７と同じように円弧状にすれば津波流Ｘが脇方向に流れやすい。同堀６１９と前記防護堤防６１７は併設することがある。前記防護堤防６１７は、基礎６００上あるいは架台６０４上に一体的にあるいは別体固着式に設けることがある。また、同堤防６１７は、周方向全周に設けることがある。
さらに、基礎６００は、図１３の左下欄に示すように、突出する上部を面取り６２０にして津波流Ｘがその斜め面に沿って脇流化するようにしてもよい。
また、図１３に仮想線で示すように、避難ステージ６１１を主塔径よりもより大きくしてその下部から滑り台６２１を設けてもよい。
さらに、避難手すり６１２は格子柵状であったが、図１３に仮想線で示すように、コンクリート一体形成してもよく、この場合、垂直面上以外に仮想線のように上向き拡開状にして下方からの被害を受けないようにしてもよい。
また、図１３に仮想線で示すように、避難ステージ６１１の上方には収納庫６１５を利用したり手すり６１２を利用するなどしてステージカバー６２２を別体物あるいはコンクリート一体物として設けてもよい。
さらに、主塔６０５の中段外周には、津波流Ｘがせり上がった際に矢印のように返し流にしたり脇流とするＲ部分を備えた中段環６２３を一体あるいは別体で設けてもよい。この場合、同環６２３を中段の避難ステージとして構成することもでき、主塔６０５の胴部に開けた出口から避難途上で仮避難することができるようにすることもできる。
また、図１３の左上欄に示すように、主塔６０５を鉄パイプ製として別途固定設置するようにしてもよい。この場合、中にはラセン階段６１０を設けるがその中にさらに芯筒６２５を設けて二重構造とすることができる。
さらに、図１３に仮想線で示すように、主塔６０５の基部にはＲ部分を設けて津波流Ｘがせり上がるようにしてもよい。
前記実施形態では、ＲＣ構造で主塔等を構成してあるが、主塔の下半部をＲＣ構造とし上半部を鉄造りとしてもよいし、その逆でもよい。また、主塔は、外壁は切石積みとし内部はレンガ積みの二重殻構造を採用することもある。この場合、津波流Ｘからの防護手段を付加することが好ましい。
【００３６】  図１４ないし図１７は主塔６０５の異なる形状例を示すもので、図１４の実施形態は、横断面が四角筒状のもので、図１５は三角筒状、図１６は六角筒状、図１７は八角筒状のものをそれぞれ模式的に示す。
これらの図において、各角部は津波流Ｘに先行して向くように配置するのが強くしかも流れを逸らす意味で有効であるが、これに限定されない。
なお、図１４に示すように、出入り口階段６２８は四角な後ろ面に添うように登るものとして構成すれば津波流Ｘによる被害を受けるおそれが少なくしかも二手に避難できて多くの人が速く避難することができる。しかし、図示のように中央に階段６２８を設けてもよい。
また、６２９は内部のラセン階段（あるいはスロープ）である。さらに、主塔６０５の前２辺基部には後方へ上り階段状あるいはスロープ状の防護手段６３０を設けて津波流Ｘを逸らすようにしてもよい。
さらに、図１５の仮想線はラセン階段６３２を示す。この例でも示すように、施設物の前方にはコンクリート支柱状の予備防護柱６３４を設けて津波流Ｘの第１防護対策としてもよい。この柱６３４は仮想線のように三角形柱状で矢印のように津波流Ｘを予め二分するようにしてもよい。
また、図１６に示すように、円弧状の防護堤６３６を前方配置してもよい。
さらに、図１７に示すように、手段６０５は多角形であるが、芯筒６３８の方は円筒状にしてもよい。
【００３７】  図１８および図１９は他の実施形態を示す。同実施形態においては基礎は図示省略されているが、同基礎上にはＲＣ構造による主塔６４１が裾拡がりとして築造されている。この場合も主塔６４１が基礎に一体であることと別体である場合とがある。同主塔６４１の内部にはラセン階段６４２が一体構造の避難ステージ６４３まで登り得るようにして設けられている。６４４は出入り口階段である。主塔６４１の上端の避難ステージ６４３の外周の防護型手すり６４５はコンクリート一体成形によるものとされているが鉄柵状にしてもよい。６４６は収納庫である。手すり６４５上にはステージカバーを設けてもよく、また、手すり６４５の上面を横切るような一体あるいは別体カバーで仕上げてもよい。
【００３８】  この実施形態では、主塔６４１の前方である津波流Ｘが襲来してくる側に防護ブロック６４８が仮想線のように設けられている。このブロック６４８は、図１８の破線のように前面と左右両側面および天面が塞がれて内部が１つの室になったタイプと全体が塊状になったものとがある。また、前部が塊状で後部が室になったものもある。形としては、Ｉのように立体直方体に似たものと、ＩＩのように平面の前部が丸形に膨出した形のものと、ＩＩＩのように平面が三角形に膨出したものなどがある。さらに、図示はしないが平面が六角や八角などの多角形になったものもある。これらを選択できる。
【００３９】  また、図１９に仮想線で示すように、同ブロック６４８もＲＣ構造とするが、その前部には津波流Ｘが当たることを考慮して乗り上げガイド６４９をＲ状あるいは登り傾斜状として設けてもよい。なお、このブロック６４８は、図１９のように戻り流にも備える意味で主塔の後方にも配備してもよい。ブロック６４８の天面は省略することがある。
【００４０】  なお、主塔６４１の中段外周には、防護環６５０を配してもよく、この環６５０は中段避難ステージ６５１にしてもよい。その一例を図５５の右上欄に示すように、内部中避難ステージ６５２を形成してもよい。６５３は芯筒で、主塔６４１を内外二重構造とすることもある。
また、主塔６４１の外周にラセン階段６４２を設けることがあり、この場合、その外周あるいは内周側に滑り台６５４を設けることができる。
さらに、図１８に仮想線で示すように、施設物の外周全体を防護堤防６５５で包囲してもよい。この場合、後方に入り口６５６を設けるが、戻り流がそこから入り込むおそれがあるので、その口６５６の後方に対面する阻止盾６５７を設けておく。
また、図１８の左欄に示すように、防護堤防６５５はラセン形でその後部段違い部分を入り口６５８としてもよい。
【００４１】  図２０は他の実施形態を示す。同実施形態は、主塔６６１の基部を一体ボックス型の架台６６２としたもので、同架台６６２は、前後・左右面と天面を備えたＲＣ構造とされ、後面には避難入り口が形成されている。この架台６６２は、内部に直線などの階段６６３が設けられて主塔６６１内のラセン階段６６４に接続されている。階段６６３は、ラセン階段でもよい。また、架台６６２内に主塔６６１の下部が突き抜けた形になっていてもよい。さらに、仮想線で示すように、架台６６２は、図５４のＩ、ＩＩ、ＩＩＩのような形状を選択できる。また、前面あるいは後面は傾斜面とすることができる。
さらに、図２０の左欄に示すように、主塔６６１は架台６６２の中に突き抜けた形として架台６６２の後部から避難してくる人が矢印のように主塔６６１内のラセン階段６６４を介して登ることができるようにしてもよい。この場合、架台６６２上を下避難ステージ６６６とすることもできる。前記架台６６２は、上からみて四角形であるが、丸形や三角、四角以上の多角形、長円形や楕円形などにしてもよい。また、図２０の右上欄に示すように、架台を下架台６６８と上架台６６９に段差型に構成してもよい。
図２０の右上欄に示すように、架台６７１を全周階段式を兼ねるものにしてもよい。
【００４２】  図２１、図２２は他の実施形態を示す。同実施形態は、基礎６７３上に架台６７４を介して主塔６７５を一体築造してラセン階段などで上端の避難ステージ６７６に登ることができるようになっているもので、６７７はコンクリート製手すり、６７８は芯体、６７９はステージカバー、６８０は入り口、６８１は入り口階段である。
【００４３】  こうした津波・洪水等の避難用施設物において、架台６７４上には、主塔６７５の下部外周囲を丸く取り囲むようにしてコンクリート一体型の防護堤６８３が設けられている。この防護堤６８３は、その外周面がせり上がり状とされて津波流Ｘなどが上方へ流れるとともに円錐面に沿って脇流として流れゆくようになっている。この防護堤６８３の外周面は垂直であってもよい。同防護堤６８３の後部は切欠状とされて避難者が通れるようにされている。
なお、この防護堤６８３は、平面が丸形であるが、図１４から１７に例示する幾何学形状を適用することができる。長円形や楕円形でもよい。防護堤６８３の左右側面と主塔６７５との間は離れているが、この間隔は両者６８３，６７５との一体化でなしとすることもできる。防護堤６８３の上面は開放されているが、安全のため、そこに一体あるいは別体の天壁を設けることもある。図２２に仮想線で示す６８４は中段環で津波流Ｘを制御するためのものである。防護堤６８３は、コンクリート製でなく鉄筒製でもよい。
【００４４】  図２２の右欄に示すものは、避難ステージ６８６をコンクリートで天壁６８７付きの一体室として形成したものである。天壁６８７は別体物でもよい。また、避難ステージ６８６の周面には、展望・監視機能を確保するため、通覧口を設けたり、同口に強化ガラスやポリカーボネートなどの強化樹脂板を窓板６８８として嵌め込むことができる。避難ステージ６８６は仮想線のように逆円錐状にしてもよい。
【００４５】  図２３は他の実施形態を示す。同実施形態は、最上階の避難ステージ６９０の他にその下方階にも避難ステージ６９１を構成したものである。６９２は芯筒、６９３はラセン階段、６９４は主塔であり、主塔６９４の避難ステージ６９０下方に相当する外周に環状の避難ステージ６９１を設けて周壁６９５を付加し、主塔６９４に開けた連絡口６９６を通じて避難空間６９７内にも避難することができるようにしたものである。その結果、同じ設置面積でより多くの避難者を収容することができるようになる。なお、主塔６９４のさらに下方の壁に通口を開けて対応する高さに避難空間を形成すればさらに多段の避難空間をもつ避難用施設物を提供することができるようになる。これらの構造はコンクリート製であったり鋼鉄製であったりする。また、これらの組み合わせであってもよい。
芯筒６９２が中空状である場合には、同空間が避難スペースとして利用できる。図２３に同時図示するように、芯筒６９２内の適宜高さに仕切り底板６９８…を１枚あるいは上下複数段に配し、それに対応して入り口６９９を開けておいて矢印のようにラセン階段６９３側から避難空間７００内に避難できるようにする。
【００４６】  ラセン階段（あるいはスロープ）６９３それ自体も多くの人に避難スペースを提供することができる。従って、その全体面積を広くとることが賢明である。そのためには、前記各実施形態でも同様にいえることであるが、主塔６９４の直径を一定とする場合、できるだけ階段の傾斜を緩やかなものとししかも階段の幅を大きくとるようにする。傾斜を緩く幅を大きくとると登降（避難）も安全で楽になる。幅を大きくとる一案として、芯筒６９２の直径をできるだけ小さくする。
なお、前記避難ステージ６９０、避難空間６９７、および避難空間７００は、個別にまたは適宜に組み合わせて構成することができるし、他の実施形態にも適用できる。
【００４７】  図２４は他の実施形態を示す。７０３は主塔（塔型でなく低いビル型のこともある）で、上からみて四角あるいは丸筒状、さらに三角他の多角形筒状のＲＣ構造で築造される。この主塔７０３は、複数階からなって上下を仕切る壁として各避難ステージ７０４…を有するとともにコンクリート基礎７０５上に架台７０６を介して固定設置されている。
７０７はスロープ、７０８は避難入り口である、同主塔７０３の中央（他の位置でもよい）を各避難ステージ７０４を貫通するようにして縦向きの内筒（縦桟でもよい）７０９が同じくＲＣ構造部分として一体に設けられている。
【００４８】  この内筒７０９には、それぞれ出入り口７１０…が開口するとともに内部にはラセン階段７１１が設けられている。矢印のように、津波襲来のために避難する場合、スロープ７０７から避難入り口７０８を入り、出入り口７１０からラセン階段７１１…を使って各避難ステージ７０４…に避難する。この場合もラセン階段７１１…も避難場所として機能する。
なお、ラセン階段７１１に代えて直線階段やスロープで構成してもよい。
【００４９】  図２５および図２６は津波（洪水も含む）Ｘの襲来に対し前以って避難するための避難用施設物（津波避難用タワー）に関する他の実施形態を示す。同実施形態において、７２０は支柱で、コンクリート製のもので、実施形態では丸柱であるが楕円形、三角形、四角形、図２５の左上欄のような六角形、それ以上の多角形など、種々の形状のものを採用することができる。
【００５０】  この支柱７２０は、それぞれが垂直で上からみて三角形の頂点位置にそれぞれ配されており、各支柱７２０は１．５〜３ｍの直径とされるが、３ｍ以上の大径のものでもよい。そして、同主塔７２０それ自体は、中実型のものやパイルなどの中空状のものなどいずれも採用できる。また、図２５の左下欄に示すように、やや細径のものａ…を２本あるいは３本、４本など複数束ねて組成することもある。この場合、これらを束ねるバンド以外に図示のような連結受材７２７を挟み込んで突設し連結梁７２８に連結するために構成することもできる。
【００５１】  これらの支柱７２０…は、下端に浮き防止盤７２１を備える一方、上端にも同様の据付用盤を備える。浮き防止盤７２１は、基盤７２２内に埋め込み施工される基礎ブロック（図示省略）にアンカー固定される方式にしてもよい。ここでは、同支柱７２０が立設されたあと図６２のように盛り土あるいは盛りコンクリートなどの盛り基礎７２３を築造してその下部全体を倒れないように保持するようにしてある。盛り基礎７２３なしで前記のようにアンカー固定することもある。前記盛り基礎７２３の周面には、津波の襲来する方向Ｘに対し背面となって安全に登り降りできるように第１登降手段（階段や、スロープ、あるいはスロープと階段併設型でもよい。以下同じ）７２４が一体的あるいは別体階段として設けられている。この第１登降手段７２４は、図６１に仮想線で示すように、幅の大きいものや全周に階段やスロープのあるタイプでもよい。全周に階段があると、段階的に津波流Ｘを減衰させることができるだけでなく左右周方向に津波流Ｘを効果的に分けることができる。
尚、複数の支柱７２０…間は下部間において相互連結することがある。
また、支柱７２０は、図２５の右下欄に示すような内部補強鉄筋（長手方向複数本の鉄筋とその外周のラセン鉄筋の組み合わせ）７２６…を備えて遠心成形したものとすることがある。
【００５２】  支柱７２０のそれぞれには、その長手方向中間と上端に平面Ｖ形をなす連結受材７２７が埋め込み固着されている。同連結受材７２７は、図２６の右欄に示すように、Ｈ形鋼を基本とするもので、その短寸辺をＶ字形に一体化したものを支柱７２０の成形と同時に埋め込んだものである。これら連結受材７２７は、図２５のように三角形の頂点位置から同各辺に添って向くようにされ、これらの対向する同士間に同じくＨ形鋼でなる連結梁７２８を横架して図２６に示す表裏のジョイント材７２９を介して止着具７３０にて相互連結してある。
【００５３】  これらの梁構造は、図２６のように、支柱７２０の中間高さと上端高さに連結施工される。３本の支柱７２０…の上端には、前記据付用盤および上端の梁構造などを介して避難ステージ７３２が円盤や角形にして固定設置されている。この避難ステージ７３２の周囲には、防護手すり７３３が設けられている。また、中間高さにも梁構造上面を利用した中段避難ステージ７３４が設けられている。この避難ステージ７３４まわりにも防護手すり７３５が設けられている。
【００５４】  そして、登降手段として、盛り基礎７２３から中段避難ステージ７３４までの第２登降手段７３６と、同ステージ７３４から上側の避難ステージ７３２までの第３登降手段７３７とが構成されている。第３登降手段７３７は、折り返し式になっているが、避難ステージ７３２が低い場合には１本のみで構成することがある。
【００５５】  尚、図２６に仮想線Ｉで示すように、盛り基礎７２３は実線のものよりも更に広い面積下に設置したり、ＩＩで示すように、中段の梁構造高さまで達するように高くしてもよい。ＩＩのように高くする場合、梁構造上面や中段避難ステージ７３４を露出させる方法と、これらの特に梁構造部分をコンクリートで埋め尽くすようにしてそのコンクリート面を中段避難ステージ面とする方法とがある。ＩＩの上面は、中段の梁構造の底レベルに対応させてもよい。
【００５６】  また、図２５の右下欄に示すように、連結受材７２７を備える半割り締め付け方式のバンド７３９を支柱７２０回りに固定するようにしてもよい。
さらに、図２７および図２８に示すように、内部補強鉄筋のある場合とない場合の双方を含み、支柱７２０それ自体に切欠７４１を形成しておき、その適所にアンカーボルト７４２…を固着して連結受材７４３を一体に備えた取付座板７４４を止め付けるようにしてもよい。
【００５７】  図２５ないし図２８の実施形態において、支柱の本数は２本、４本など他の本数でもよい。
また、支柱は、ＳＣパイルのように中空状コンクリートの外周に鋼管を同時一体成形してなるものを使用してもよい。これに溶接式あるいは締め付けバンド式で連結受材を取り付けるようにしてもよい。
【図面の簡単な説明】
【００５８】
【図１】  本発明の実施形態を示す図２の避難装置の平面図。
【図２】  図１の避難装置の左側面図。
【図３】  他の実施形態を示す斜視図。
【図４】  他の実施形態を示す左側面図。
【図５】  他の実施形態を示す斜視図。
【図６】  他の実施形態を示す側面図。
【図７】  他の実施形態を示す左側面図。
【図８】  他の実施形態を示す斜視図。
【図９】  他の実施形態を示す断面図。
【図１０】  他の実施形態を示す斜視図。
【図１１】  他の実施形態を示す斜視図。
【図１２】  他の実施形態を示す平面図。
【図１３】  図１２の実施形態を示す側面図。
【図１４】  他の実施形態を示す横断面模式図。
【図１５】  他の実施形態を示す横断面模式図。
【図１６】  他の実施形態を示す横断面模式図。
【図１７】  他の実施形態を示す横断面模式図。
【図１８】  他の実施形態を示す平面図。
【図１９】  図１８の実施形態を示す一部切欠側面図。
【図２０】  他の実施形態を示す側面図。
【図２１】  他の実施形態を示す図２２のＬ−Ｌ線断面図。
【図２２】  図２１の側面図。
【図２３】  他の実施形態を示す縦断側面図。
【図２４】  他の実施形態を示す縦断側面図。
【図２５】  他の実施形態を示す図２６のＭ−Ｍ線断面図。
【図２６】  図２５の側面図。
【図２７】  他の実施形態を示す図２８の横断面図。
【図２８】  図２７の正面図。
【符号の説明】
【００５９】  ２００…設置地盤  ２０１…基礎コンクリート  ２０５…基板  ２０６…下部補強板  ２１０…避難ステージ  ２１２…登降手段  ２１９…水タンク  ２２４…外防護パイプ。
【図１】
2007239452.tif 000003
【図２】
2007239452.tif 000004
【図３】
2007239452.tif 000005
【図４】
2007239452.tif 000006
【図５】
2007239452.tif 000007
【図６】
2007239452.tif 000008
【図７】
2007239452.tif 000009
【図８】
2007239452.tif 000010
【図９】
2007239452.tif 000011
【図１０】
2007239452.tif 000012
【図１１】
2007239452.tif 000013
【図１２】
2007239452.tif 000014
【図１３】
2007239452.tif 000015
【図１４】
2007239452.tif 000016
【図１５】
2007239452.tif 000017
【図１６】
2007239452.tif 000018
【図１７】
2007239452.tif 000019
【図１８】
2007239452.tif 000020
【図１９】
2007239452.tif 000021
【図２０】
2007239452.tif 000022
【図２１】
2007239452.tif 000023
【図２２】
2007239452.tif 000024
【図２３】
2007239452.tif 000025
【図２４】
2007239452.tif 000026
【図２５】
2007239452.tif 000027
【図２６】
2007239452.tif 000028
【図２７】
2007239452.tif 000029
【図２８】
2007239452.tif 000030